(57)【特許請求の範囲】
【請求項１】
天板の四隅部を4本の脚柱で支持するとともに、天板の少なくとも一側縁部両側のコーナー部に形成した切欠部に前記脚柱の上端部を露出し、該脚柱の上端部に一対の支柱を立設し、該支柱には少なくとも天板の一側縁部に面した外側に係合溝を軸方向に沿って形成するとともに、パネルの両側部で内方寄りの表面に前記係合溝にスライド係合する突条を突設し、前記パネルの両突条をそれぞれ支柱の天板の一側縁部に面した外側の係合溝に係合してなることを特徴とするテーブルにおけるパネル等のオプション取付装置。
【請求項２】
支柱には少なくとも天板の一側縁部に面した外側と他の側適所に複数の係合溝を軸方向に沿って形成し、前記パネルの両突条をそれぞれ支柱の天板の一側縁部に面した外側の係合溝に係合し、他の係合溝にハンギング部材等のオプションを取付けてなる請求項１記載のテーブルにおけるパネル等のオプション取付装置。
【請求項３】
前記支柱の背面側と、隣接する両支柱の対向面内側とに前記係合溝を形成し、前記パネルの両突条をそれぞれ支柱の背面側の係合溝に係合し、ハンギング部材の両端の係合片を対向面内側の両係合溝に係合し、パネルの前面に沿ってハンギング部材を配してなる請求項１又は２記載のテーブルにおけるパネル等のオプション取付装置。
【請求項４】
前記支柱のコーナー部を挟んだ天板の両縁部に面する外側と、隣接する両支柱の対向面内側とに前記係合溝を３条又は４条形成し、前記パネルの両突条を前記天板の各縁部の両側コーナー部に位置する支柱の天板の該縁部に面する外側の係合溝に係合し、ハンギング部材の両端の係合片を少なくとも隣接する一対の支柱の対向面内側の両係合溝に係合し、パネルの前面に沿ってハンギング部材を配してなる請求項１又は２記載のテーブルにおけるパネル等のオプション取付装置。
【発明の詳細な説明】
【０００１】
【発明の属する技術分野】
本発明は、テーブルにおけるパネル等のオプション取付装置に係わり、更に詳しくはパネルの前面に沿ってハンギング部材を配したり、他のオプションを取付けることが可能なテーブルにおけるパネル等のオプション取付装置に関するものである。
【０００２】
【従来の技術】
従来、テーブルや机の天板のコーナー部に支柱を立設し、該支柱間にパネルを装着して、天板の後縁に沿ってメインパネルを設け、更には側縁に沿ってサイドパネルを設け、テーブルや机を近接して設置した場合の視線を遮ることは一般的に行われている。
【０００３】
また、天板上で物品を係止したり、棚板を取付けることができるように、前記パネルにハンギングレールやフックを係止する係止孔を設けることも公知である。
【０００４】
しかし、従来の目隠しパネルは、視線を遮るだけの目的としては、強度が高過ぎるとともに、また構造が複雑であるため、コスト高となる傾向にある。特に、ハンギング機能を有するパネルは、板厚が厚く、また重量も重く、簡易型のテーブルや机に装着するには、不釣合いなものである。
【０００５】
【発明が解決しようとする課題】
本発明が前述の状況に鑑み、解決しようとするところは、簡易型のテーブルや机において天板の縁部に沿って軽量なパネルを簡単に取付けることができるとともに、必要に応じてハンギング部材をパネルの前面に沿って取付けることができ、更には他のオプションを簡単に取付けることが可能なテーブルにおけるパネル等のオプション取付装置を提供する点にある。
【０００６】
【課題を解決するための手段】
本発明は、前述の課題解決のために、天板の四隅部を4本の脚柱で支持するとともに、天板の少なくとも一側縁部両側のコーナー部に形成した切欠部に前記脚柱の上端部を露出し、該脚柱の上端部に一対の支柱を立設し、該支柱には少なくとも天板の一側縁部に面した外側に係合溝を軸方向に沿って形成するとともに、パネルの両側部で内方寄りの表面に前記係合溝にスライド係合する突条を突設し、前記パネルの両突条をそれぞれ支柱の天板の一側縁部に面した外側の係合溝に係合してなるテーブルにおけるパネル等のオプション取付装置を構成した。
【０００７】
また、支柱には少なくとも天板の一側縁部に面した外側と他の適所に複数の係合溝を軸方向に沿って形成し、前記パネルの両突条をそれぞれ支柱の天板の一側縁部に面した外側の係合溝に係合し、他の係合溝にハンギング部材等のオプションを取付けてなることが好ましい。
【０００８】
更に具体的には、前記支柱の背面側と、隣接する両支柱の対向面内側とに前記係合溝を形成し、前記パネルの両突条をそれぞれ支柱の背面側の係合溝に係合し、ハンギング部材の両端の係合片を対向面内側の両係合溝に係合し、パネルの前面に沿ってハンギング部材を配してなることが好ましい。
【０００９】
また、前記支柱のコーナー部を挟んだ天板の両縁部に面する外側と、隣接する両支柱の対向面内側とに前記係合溝を３条又は４条形成し、前記パネルの両突条を前記天板の各縁部の両側コーナー部に位置する支柱の天板の該縁部に面する外側の係合溝に係合し、ハンギング部材の両端の係合片を少なくとも隣接する一対の支柱の対向面内側の両係合溝に係合し、パネルの前面に沿ってハンギング部材を配してなることも好ましい。
【００１０】
【発明の実施の形態】
次に本発明の実施の形態を添付図面に基づき更に詳細に説明する。図１は本発明のパネル等のオプション取付装置を適用したテーブルを示し、図２及び図３は代表的な実施形態を示し、図中符号１は天板、２は脚柱、３は支柱、４はパネル、５はハンギング部材をそれぞれ示している。
【００１１】
本実施形態におけるテーブルは、異形天板１の四隅部を４本の脚柱２，…で支持し、後部の２本の脚柱２，２は、天板１の一部に形成した切欠部６，６に上端部を露出し、この上端部が露出した脚柱２，２にキャップ７により、支柱３，３を立起状態で支持し、両支柱３，３を利用してパネル４を取付けたものである。尚、本発明はテーブルに限定されず、机や衝立等にも適用できる。
【００１２】
そこで、本発明のオプション取付装置は、天板１の少なくとも一側縁部両側のコーナー部に一対の支柱３，３を立設し、該支柱３には少なくとも天板１の一側縁部に面した外側と他の適所に複数の係合溝８,…を軸方向に沿って形成するとともに、パネル４の両側部で内方寄りの表面に前記係合溝８にスライド係合する突条９，９を突設し、前記パネル４の両突条９，９をそれぞれ支柱３の天板１の一側縁部に面した外側の係合溝８に係合し、他の係合溝８にハンギング部材５等のオプションを取付けることを基本構成としている。ここで、天板１の一側縁部とは、天板１の後縁部又は左右両側縁部のうちの一つであり、またハンギング部材５以外のオプションとしては、照明器具、電話台、書見台又はペントレー（共に図示せず）等が挙げられる。
【００１３】
更に詳しくは、図１に示したものは、天板１の後縁部両側のコーナー部に一対の支柱３，３を立設し、前記支柱３，３の各背面側と、隣接する両支柱３，３の対向面内側とに前記係合溝８,…を形成し、前記パネル４の両突条９，９をそれぞれ支柱３，３の背面側の係合溝８Ａ，８Ａに係合し、ハンギング部材５の両端の係合片１０，１０を対向面内側の両係合溝８Ｂ，８Ｂに係合し、パネル４の前面に沿ってハンギング部材５を配している。
【００１４】
前記パネル４は、左右の縦枠１１，１１と上下の横枠１２，１２とをコーナー枠１３，…とで連結してフレームを形成し、該フレームで可撓性のある軽量のシート体１４の周囲を保持して構成したものである。また、図２及び図３に示した実施形態では、前記突条９は、縦枠１１と一体成形しているが、シート体１４に剛性が備わっている場合には、縦枠１１とは別体で形成した突条９をシート体１４の表面に固定しても良い。
【００１５】
また、前記ハンギング部材５は、アルミニウム又は合成樹脂で押出し成形した型材であり、前面側にハンギング用のレール１５，１５を上下に並設するとともに、両端の背面側に前記係合片１０を形成した連結金具１６を嵌挿し、ネジ止めにて固定したものである。そして、前記支柱３に形成した係合溝８は、開口縁よりも内部が幅広の断面略Ｔ字形であり、それに応じて前記突条９も断面略Ｔ字形に形成し、また前記係合片１０は断面略Ｌ字形に形成し、前記係合溝８に突条９及び係合片１０を上端からスライド係合させた後、支柱３の上端中空部１７に天キャップ１８を嵌着して、パネル４とハンギング部材５の抜け止めを図っている。更に、前記支柱３には、中心に対して９０度回転した位置に４条の係合溝８，…を形成している。
【００１６】
また、前記天板１の後部両側を含む三隅又は四隅に前記支柱３，…を立設し（図示せず）、図３に示すように、天板１のそれぞれの一側縁部において各支柱３の外側の係合溝８を利用して二枚のパネル４，４を平面視Ｌ字形に取付け、又は三枚のパネル４，…を平面視コ字形に取付けることもできる。この場合、各パネル４の前面に、つまり天板１の中央側にそれぞれ前記ハンギング部材５を取付けることが可能である。
【００１７】
即ち、より限定された本発明は、前記支柱３のコーナー部を挟んだ天板１の両縁部に面する外側と、隣接する両支柱３，３の対向面内側とに前記係合溝８，…を３条又は４条形成し、前記パネル４の両突条９，９を前記天板１の各縁部の両側コーナー部に位置する支柱３，３の天板１の該縁部に面する外側の係合溝８Ａ，８Ａに係合し、ハンギング部材５の両端の係合片１０を少なくとも隣接する一対の支柱３，３の対向面内側の両係合溝８Ｂ，８Ｂに係合し、パネル４の前面に沿ってハンギング部材５を配してなるものである。
【００１８】
図４は、パネル４として剛性のある板体を用い、前記同様な突条９，９を該パネル４の両側部で内方寄りの表面に突設し、また支柱３として外側パイプ１９と内側パイプ２０とをリブ２１，…で一体化し且つ外側パイプ１９にスリット２２，…を形成して係合溝８，…となした断面形状の押出し成形材を用いたものである。ここで、前記係合溝８，…は、外側に二箇所と対向面内側の一箇所に形成したものであり、後縁部のパネル４の前面に沿ってのみハンギング部材５を渡設できるものである。
【００１９】
また、図５及び図６に示したものは、パイプにスリット２３を一箇所設けただけの最も単純な支柱３の構造であり、図５は前述の図３に示したものと同じ構造のパネル４を用い、前記突条９，９を両側部の各支柱３，３のスリット２３と中空部１７とで構成された係合溝８に係合して、前記天板１の後縁部に沿ってのみパネル４設けるものである。この場合は、前記ハンギング部材５は取付けられないが、使用目的が視線を遮るだけであれば十分である。また、図６に示したものは、前記縦枠１１と突条９とを別体で形成したものであり、その他の構成は図５に示したものと同様である。
【００２０】
【発明の効果】
以上にしてなる請求項１に係る発明のテーブルにおけるパネル等のオプション取付装置は、天板の四隅部を4本の脚柱で支持するとともに、天板の少なくとも一側縁部両側のコーナー部に形成した切欠部に前記脚柱の上端部を露出し、該脚柱の上端部に一対の支柱を立設し、該支柱には少なくとも天板の一側縁部に面した外側に係合溝を軸方向に沿って形成するとともに、パネルの両側部で内方寄りの表面に前記係合溝にスライド係合する突条を突設し、前記パネルの両突条をそれぞれ支柱の天板の一側縁部に面した外側の係合溝に係合してなるので、簡易型のテーブルや机において天板の縁部に沿って軽量なパネルを簡単に取付けることができる。
【００２１】
請求項２によれば、必要に応じてハンギング部材をパネルの前面に沿って取付けることができ、更には他のオプションを支柱の係合溝を利用して簡単に取付けることができる。
【００２２】
請求項３及び４によれば、各支柱の外側の係合溝を利用して二枚のパネルを平面視Ｌ字形に取付け、又は三枚のパネルを平面視コ字形に取付けることができ、更に各パネルの前面にハンギング部材をそれぞれ取付けることができる。
【図面の簡単な説明】
【図１】本発明のパネル等のオプション取付装置を適用したテーブルを示す全体斜視図である。
【図２】本発明の第１実施形態を示す要部の分解斜視図である。
【図３】同じく支柱にパネルとハンギング部材を取付けた状態の要部拡大断面図である。
【図４】他の実施形態を示し、支柱にパネルとハンギング部材を取付けた状態の要部拡大断面図である。
【図５】更に他の実施形態を示し、支柱にパネルを取付けた状態の要部断面図である。
【図６】同じく図５の変形例を示す要部断面図である。
【符号の説明】
１  天板
２  脚柱
３  支柱
４  パネル
５  ハンギング部材
６  切欠部
７  キャップ
８、８Ａ、８Ｂ  係合溝
９  突条
１０  係合片
１１  縦枠
１２  横枠
１３  コーナー枠
１４  シート体
１５  レール
１６  連結金具
１７  中空部
１８  天キャップ
１９  外側パイプ
２０  内側パイプ
２１  リブ
２２  スリット
２３  スリット
【図１】
0003546770.tif 000002
【図２】
0003546770.tif 000003
【図３】
0003546770.tif 000004
【図４】
0003546770.tif 000005
【図５】
0003546770.tif 000006
【図６】
0003546770.tif 000007